(57)【要約】【課題】非接触ＩＣ媒体の取り外し易さを向上させる。【解決手段】操作パネル構造１０は、非接触ＩＣ媒体が上に載置される非接触ＩＣ読取部２１を備えたパネル部材１１を有している。パネル部材の上面部１２は、非接触ＩＣ読取部の前縁と後縁と左縁と右縁との中の少なくとも１つの縁の近傍に、縁の延在方向に沿って形成された突条状の突起部２２（２２ａ，２２ｂ）と、突起部に対して非接触ＩＣ媒体が載置される側の位置に、突起部の延在方向に沿って左右方向に延在して形成された凹部２３ａと、を備えている。【選択図】図１
2018124606.tif 000002
【特許請求の範囲】
【請求項１】
非接触ＩＣ媒体が上に載置される非接触ＩＣ読取部を備えたパネル部材を有し、
前記パネル部材の上面部は、
前記非接触ＩＣ読取部の前縁と後縁と左縁と右縁との中の少なくとも１つの縁の近傍に、縁の延在方向に沿って形成された突条状の突起部と、
前記突起部に対して前記非接触ＩＣ媒体が載置される側の位置に、前記突起部の延在方向に沿って延在して形成された凹部と、を備えている
ことを特徴とする操作パネル構造。
【請求項２】
請求項１に記載の操作パネル構造において、
前記凹部の長さは、前記非接触ＩＣ読取部の上に載置される非接触ＩＣ媒体の前記凹部に対向する部位の幅よりも長い
ことを特徴とする操作パネル構造。
【請求項３】
請求項１又は請求項２に記載の操作パネル構造において、
前記凹部の側面視形状は、楔形を呈している
ことを特徴とする操作パネル構造。
【請求項４】
請求項１乃至請求項３のいずれか一項に記載の操作パネル構造において、
前記パネル部材の上面部には、傾斜面部が形成されており、
前記非接触ＩＣ読取部は、前記傾斜面部に設置されている
ことを特徴とする操作パネル構造。
【請求項５】
請求項１乃至請求項４のいずれか一項に記載の操作パネル構造において、
前記パネル部材の上面部には、現金を出納する現金口が開口形成されており、
前記非接触ＩＣ読取部の前縁と後縁と左縁と右縁とのうち、近傍に前記突起部が形成されている縁は、前記現金口から遠い側の縁である
ことを特徴とする操作パネル構造。
【請求項６】
請求項１乃至請求項４のいずれか一項に記載の操作パネル構造において、
前記パネル部材の上面部には、現金を出納する現金口が開口形成されており、
前記非接触ＩＣ読取部の前縁と後縁と左縁と右縁とのうち、近傍に前記突起部が形成されている縁は、前記現金口から遠い側の縁及び近い側の縁の２つの縁であり、
前記凹部は、前記遠い側の縁に沿って形成された第１凹部と、前記近い側の縁に沿って形成された第２凹部と、を有している
ことを特徴とする操作パネル構造。
【請求項７】
請求項１乃至請求項６のいずれか一項に記載の操作パネル構造において、
前記パネル部材の上面部は、さらに、前記突起部及び前記凹部と交差するように、交差方向に延在して形成された別の凹部を備えている
ことを特徴とする操作パネル構造。
【請求項８】
非接触ＩＣ媒体が上に載置される非接触ＩＣ読取部を備えたパネル部材を有し、
前記パネル部材の上面部は、
前記非接触ＩＣ読取部の前縁と後縁と左縁と右縁とのうち、少なくとも１つの縁の近傍に、縁の延在方向に沿って形成された突条状の突起部と、
前記非接触ＩＣ読取部内に設けられ、かつ、前記非接触ＩＣ読取部の上に載置される非接触ＩＣ媒体が当該上面部から離間するように、当該非接触ＩＣ媒体を支持するための別の突起部と、を備えている
ことを特徴とする操作パネル構造。
【請求項９】
請求項１乃至請求項８のいずれか一項に記載の操作パネル構造と、
取引処理機構と、を有する
ことを特徴とする現金預払機。
【発明の詳細な説明】
【技術分野】
【０００１】
本発明は、操作パネル構造、及び、当該操作パネル構造を有する現金預払機に関する。
【背景技術】
【０００２】
従来、金融機関や流通機関で利用されている現金預払機の中には、非接触ＩＣリーダユニットを内蔵するものがある。非接触ＩＣリーダユニットは、電波を利用して非接触ＩＣ媒体との間で情報の送受信を行うユニットである。ここで、「非接触ＩＣ媒体」とは、例えば、非接触型ＩＣカード（ｎｏｎ−ｃｏｎｔａｃｔ  ｔｙｐｅ  ＩＣ  ｃａｒｄ）だけでなく、電波を利用して内蔵されたＩＣチップと外部装置との間で情報の送受信を行うスマートフォン等の電子装置を含むものである。
【０００３】
この種の現金預払機の操作パネルには、非接触ＩＣリーダユニットの装置外装面に非接触ＩＣ読取部が設けられている。非接触ＩＣ読取部は、非接触ＩＣ媒体が載置される部位である。
【０００４】
操作パネルには、非接触ＩＣ読取部の他に、例えば、表示入力部、カード挿入排出口、明細票排出口、現金口（紙幣口）、数字入力部等が設けられている。表示入力部は、ディスプレイとタッチパネルとが一体になった装置である。カード挿入排出口は、キャッシュカードの挿入や排出を行う開口部である。明細票排出口は、取引明細票の排出を行う開口部である。現金口（紙幣口）は、現金（紙幣）の投入や放出を行う開口部である。数字入力部は、暗証番号や金額等の数字情報を入力する装置である。
【０００５】
このような現金預払機は、例えば、以下のようにして、現金の投入を受け付けることによって、電子マネーを非接触ＩＣ媒体にチャージ（入金）することができる。
例えば、まず、顧客は、表示入力部に表示されたチャージ取引用のボタンを押下する。そして、顧客は、表示入力部に表示された案内情報に従って、非接触ＩＣ媒体を非接触ＩＣ読取部の上に載置し、数字入力部でチャージ金額を入力する。これに応答して、現金預払機が現金口（紙幣口）を開くので、顧客は、現金口（紙幣口）に現金を投入する。すると、現金預払機は、数字入力部で入力されたチャージ金額分の電子マネーを非接触ＩＣ媒体にチャージ（入金）する。なお、このとき、顧客によって投入された投入金額が数字入力部で入力されたチャージ金額よりも多ければ、現金預払機は、現金口（紙幣口）から差額分の現金を放出する。
【０００６】
また、現金預払機は、例えば、以下のようにして、ホストコンピュータで管理されている顧客の口座にアクセスすることによって、電子マネーを非接触ＩＣ媒体にチャージ（入金）することもできる。
例えば、まず、顧客は、表示入力部に表示されたチャージ取引用のボタンを押下する。そして、顧客は、表示入力部に表示された案内情報に従って、キャッシュカードをカード挿入排出口に挿入するとともに、非接触ＩＣ媒体を非接触ＩＣ読取部の上に載置し、数字入力部で暗証番号とチャージ金額を入力する。これに応答して、現金預払機は、ホストコンピュータと通信する。そして、現金預払機は、ホストコンピュータで管理されている顧客の口座にアクセスして、顧客の口座から数字入力部で入力されたチャージ金額分の預金を引き落とす（出金する）とともに、引き落とされた（出金された）チャージ金額分の電子マネーを非接触ＩＣ媒体にチャージ（入金）する。
【０００７】
このような現金預払機の中には、非接触ＩＣ読取部の上に載置された非接触ＩＣ媒体が非接触ＩＣ読取部から落下しないように、非接触ＩＣ読取部の周囲に土手形状の突起部を備え、突起部で非接触ＩＣ媒体を保持する操作パネル構造を有するものがある（例えば、特許文献１参照）。
【先行技術文献】
【特許文献】
【０００８】
【特許文献１】特願２０１６−０９０１１２号
【発明の概要】
【発明が解決しようとする課題】
【０００９】
しかしながら、従来の操作パネル構造は、以下に説明するように、非接触ＩＣ媒体の取り外し易さを向上させることが望まれていた。
【００１０】
現金預払機は、比較的大型でかつ厚みのあるスマートフォンから比較的小型でかつ厚みのない（つまり、薄い）ＩＣカードまで、様々なサイズの非接触ＩＣ媒体を読み込む必要がある。そのため、非接触ＩＣ読取部が比較的広く設けられていた。そして、従来の操作パネル構造は、非接触ＩＣ媒体を非接触ＩＣ読取部に密着させた状態で保持する構造になっていた。
【００１１】
このような従来の操作パネル構造は、比較的小型でかつ厚みのない（薄い）ＩＣカードが非接触ＩＣ読取部の上に載置された場合に、ＩＣカードを指先で摘むことが困難であるため、ＩＣカードを持ち上げて非接触ＩＣ読取部から取り外すことが困難であった。そのため、従来の操作パネル構造は、非接触ＩＣ媒体を容易に取り外すことができることが望まれていた。
【００１２】
本発明は、前記した課題を解決するためになされたものであり、非接触ＩＣ媒体の取り外し易さを向上させた操作パネル構造、及び、当該操作パネル構造を有する現金預払機を提供することを主な目的とする。
【課題を解決するための手段】
【００１３】
前記目的を達成するため、第１発明は、操作パネル構造であって、非接触ＩＣ媒体が上に載置される非接触ＩＣ読取部を備えたパネル部材を有し、前記パネル部材の上面部は、前記非接触ＩＣ読取部の前縁と後縁と左縁と右縁との中の少なくとも１つの縁の近傍に、縁の延在方向に沿って形成された突条状の突起部と、前記突起部に対して前記非接触ＩＣ媒体が載置される側の位置に、前記突起部の延在方向に沿って延在して形成された凹部と、を備えている構成とする。
【００１４】
また、第２発明は、現金預払機であって、第１発明に係る操作パネル構造と、取引処理機構と、を有する構成とする。
【発明の効果】
【００１５】
本発明によれば、非接触ＩＣ媒体の取り外し易さを向上させることができる。
【図面の簡単な説明】
【００１６】
【図１】実施形態１に係る現金預払機の全体構成を示す図である。
【図２】実施形態１に係る操作パネル構造の全体構成を示す図である。
【図３】実施形態１に係る操作パネル構造の細部構成を示す図である。
【図４】実施形態１に係る操作パネル構造での非接触ＩＣ媒体の取り外し方法を示す図である。
【図５】第１変形例に係る操作パネル構造を示す図である。
【図６】第２変形例に係る操作パネル構造を示す図である。
【図７】第３変形例に係る操作パネル構造を示す図である。
【図８】第４変形例に係る操作パネル構造を示す図である。
【図９】第４変形例に係る操作パネル構造での非接触ＩＣ媒体の取り外し方法を示す図である。
【図１０】実施形態２に係る操作パネル構造を示す図である。
【発明を実施するための形態】
【００１７】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１８】
［実施形態１］
＜現金預払機の全体構成＞
以下、図１を参照して、本実施形態１に係る現金預払機１の全体構成につき説明する。図１は、本実施形態１に係る現金預払機１の全体構成を示す図である。現金預払機１は、預金取引や支払取引等の各種の取引を行うための装置である。
【００１９】
図１に示すように、本実施形態１に係る現金預払機１は、表示入力部２、カード挿入排出口３、明細票排出口４、現金口（紙幣口）５、数字入力部６、バーコードリーダ７ａ、指紋認証装置７ｂ、非接触ＩＣリーダユニット８、取引処理機構９を有している。
【００２０】
表示入力部２は、表示部としてのディスプレイと入力部としてのタッチパネルとが一体になった装置である。
カード挿入排出口３は、キャッシュカードや振込カード等の挿入や排出を行う開口部である。
明細票排出口４は、取引明細票の排出を行う開口部である。
現金口（紙幣口）５は、現金（紙幣）の投入や放出を行う開口部である。
数字入力部６は、暗証番号や金額等の数字情報を入力する装置である。
バーコードリーダ７ａは、媒体に付与されたバーコードを読み取る装置である。
指紋認証装置７ｂは、指紋情報を取得して個人を認証する装置である。
非接触ＩＣリーダユニット８は、電波を利用して非接触ＩＣ媒体Ｃｄ（図４参照）との間で情報の送受信を行うユニットである。
取引処理機構９は、各種の取引を行うための機構である。
【００２１】
図１に示す例では、表示入力部２は、現金預払機１の顧客に対向する対向面の比較的高い位置に設置されている。カード挿入排出口３と明細票排出口４と数字入力部６は、その表示入力部２の下方に左側から順番に配置されている。現金口（紙幣口）５は、数字入力部６の手前側（前方側）の位置に設置されている。その現金口（紙幣口）５よりもさらに手前側（前方側）の位置には、非接触ＩＣ読取部２１が設置されている。非接触ＩＣ読取部２１は、非接触ＩＣ媒体Ｃｄ（図４参照）が載置される部位である。非接触ＩＣ媒体Ｃｄに格納されている情報は、非接触ＩＣ媒体Ｃｄが非接触ＩＣ読取部２１の上に載置された状態で、非接触ＩＣカードリーダユニット８によって読み取られる。バーコードリーダ７ａと指紋認証装置７ｂは、非接触ＩＣ読取部２１の右横側の位置に設置されている。
【００２２】
非接触ＩＣリーダユニット８は、現金預払機１の比較的手前側（前方側）の位置の内部に設置されている。非接触ＩＣリーダユニット８は、固定具（図示せず）によって装置内部に固定されている。非接触ＩＣリーダユニット８の装置外装面には、非接触ＩＣ読取部２１が設けられている。非接触ＩＣ読取部２１は、非接触ＩＣ媒体Ｃｄ（図４参照）を載置することが可能なサイズになっており、略平坦な面状を呈している。
【００２３】
非接触ＩＣ読取部２１の周囲には、銘板や印刷、造形等により、その位置が非接触ＩＣ読取部であることを表す情報が案内表記されている。非接触ＩＣ読取部２１の奥側（後方側）には、現金口（紙幣口）５が配置されている。
【００２４】
本実施形態１では、非接触ＩＣ媒体Ｃｄ（図４参照）が非接触型ＩＣカードである場合を想定して説明する。しかしながら、非接触ＩＣ媒体Ｃｄ（図４参照）は、非接触型ＩＣカードに限らず、電波を利用して内蔵されたＩＣチップと外部装置との間で情報の送受信を行う電子装置（例えば、スマートフォンやタブレット型端末装置等）であってもよい。
【００２５】
取引処理機構９は、例えば、それぞれ図示せぬ制御部や、通信部、繰出部、搬送部、鑑別部、複数の金庫等で構成されている。これらは、主に装置内部に設置されている。制御部は、各部の動作を制御する。通信部は、図示せぬホストコンピュータ等の外部装置と通信する。繰出部は、現金口（紙幣口）５に投入された現金（紙幣）を１枚ずつに分離して搬送部に繰り出す。搬送部は、現金（紙幣）を所望の場所に搬送する。鑑別部は、現金（紙幣）の真贋や金種等を鑑別する。金庫は、金種別に現金（紙幣）を収容する。
【００２６】
＜操作パネル構造の全体構成＞
現金預払機１は、以下のような操作パネル構造１０を有している。以下、図１及び図２を参照して、現金預払機１の操作パネル構造１０の全体構成につき説明する。図２は、操作パネル構造１０の全体構成を示す図である。図２（ａ）は、操作パネル構造１０の正面視構成を示しており、図２（ｂ）は、操作パネル構造１０の上面視構成を示している。
【００２７】
図１に示すように、操作パネル構造１０は、非接触ＩＣ読取部２１を備えたパネル部材１１を有している。パネル部材１１の上面部１２は、現金預払機１の顧客に対向する対向面の比較的奥側（後方側）から手前側（前方側）に向かって下がるように傾斜した形状を呈している。パネル部材１１の上面部１２には、現金口（紙幣口）５とバーコードリーダ７ａと指紋認証装置７ｂと非接触ＩＣ読取部２１とが設けられている。
【００２８】
図１及び図２（ａ）に示すように、パネル部材１１の上面部１２における横方向の略中央部１３は、他の部位から窪む形状になっている。その略中央部１３は、奥側（後方側）から手前側（前方側）に向かって下がるように傾斜する傾斜面部として形成されている。以下、略中央部１３を「傾斜面部１３」と称する場合がある。このような操作パネル構造１０は、傾斜面部１３の上にジュース等の飲料が置かれることを防止することができる。非接触ＩＣ読取部２１は、その傾斜面部１３に設けられている。そのため、操作パネル構造１０は、非接触ＩＣ読取部２１の上にジュース等の飲料が置かれることを防止することができる。
【００２９】
図１及び図２（ｂ）に示すように、パネル部材１１の上面部１２において、傾斜面部１３は、１乃至複数の突条状の突起部２２と、１つの溝状の凹部２３ａと、を備えている。ここで、「突条（ｅｌｏｎｇａｔｅｄ  ｐｒｏｔｒｕｔｉｏｎ）」とは、細長く平面方向に延びる突出した形状を意味している。
【００３０】
突起部２２は、非接触ＩＣ読取部２１の上に載置された非接触ＩＣ媒体Ｃｄ（図４参照）の位置を規定するとともに、非接触ＩＣ媒体Ｃｄ（図４参照）が非接触ＩＣ読取部２１から落下しないように、非接触ＩＣ媒体Ｃｄを保持するために設けられている。
【００３１】
突起部２２は、非接触ＩＣ読取部２１の前縁と後縁と左縁と右縁との中の少なくとも１つの縁の近傍に、縁の延在方向に沿って形成さている。本実施形態１では、突起部２２として、２つの突起部２２ａ，２２ｂが非接触ＩＣ読取部２１の前縁２１ａと後縁２１ｂの近傍に、縁の延在方向に沿って形成されているものとして説明する。
【００３２】
なお、非接触ＩＣ読取部２１の前縁と後縁と左縁と右縁は、それぞれ、非接触ＩＣ読取部２１の上に載置される非接触ＩＣ媒体の下端部と上端部と左端部と右端部に対応する部位である。ここで、非接触ＩＣ媒体の「下端部」、「上端部」、「左端部」、および「右端部」とは、それぞれ、顧客が非接触ＩＣ読取部２１の上に載置された状態の非接触ＩＣ媒体を見た場合の非接触ＩＣ媒体の下側、上側、左側、右側の各端部を意味している。
【００３３】
なお、図示例では、非接触ＩＣ読取部２１が矩形の形状に形成されている。しかしながら、非接触ＩＣ読取部２１は矩形以外の形状に形成することもできる。一般に非接触ＩＣ媒体は矩形の形状を呈しているので、仮に非接触ＩＣ読取部２１が矩形以外の形状に形成されている場合であっても、ここでは、便宜的に、非接触ＩＣ媒体の下端部と上端部と左端部と右端部に対応する非接触ＩＣ読取部２１の各部位を、非接触ＩＣ読取部２１の前縁と後縁と左縁と右縁として説明している。
【００３４】
凹部２３ａは、突起部２２ａの近傍に形成された溝状の部位である。凹部２３ａは、非接触ＩＣ読取部２１の上に載置された非接触ＩＣ媒体Ｃｄ（図４参照）に対し、その端部の下側に空間を形成する。
【００３５】
＜操作パネル構造の細部構成＞
以下、図３及び図４を参照して、操作パネル構造１０の細部構成につき説明する。図３は、操作パネル構造１０の細部構成を示す図である。図３（ａ）は、操作パネル構造１０の斜視構造を示しており、図３（ｂ）は、操作パネル構造１０の側面視構造を示している。図４は、操作パネル構造１０での非接触ＩＣ媒体Ｃｄの取り外し方法を示す図である。図４（ａ）は、非接触ＩＣ読取部２１の上に非接触ＩＣ媒体Ｃｄを載置したときの状態を示しており、図４（ｂ）は、非接触ＩＣ読取部２１から非接触ＩＣ媒体Ｃｄを取り外すときの状態を示している。
【００３６】
図３（ａ）に示すように、傾斜面部１３は、前記した２つの突起部２２ａ，２２ｂと、前記した１つの凹部２３ａと、を備えている。
突起部２２ａは、非接触ＩＣ読取部２１の前縁２１ａに沿って形成されている。一方、突起部２２ｂは、非接触ＩＣ読取部２１の後縁２１ｂに沿って形成されている。凹部２３ａは、突起部２２ａに対して非接触ＩＣ媒体Ｃｄ（図４参照）が載置される側（非接触ＩＣ読取部２１側）の位置に、突起部２２ａの延在方向に沿って延在して形成されている。
【００３７】
図３（ｂ）に示すように、凹部２３ａは、側面視において、突起部２２ａの壁面に連続して形成された縦壁面２４ａと、縦壁面２４ａに対して傾斜するように形成された傾斜面２４ｂとを備えており、楔形の形状を呈している。なお、図３（ｂ）に示す例では、縦壁面２４ａ及び傾斜面２４ｂは、それぞれ、平坦面状に形成されている。しかしながら、縦壁面２４ａ及び傾斜面２４ｂは、それぞれ、円弧状形成することもできる。例えば、縦壁面２４ａは、後記する角部２４ｃ（図４（ｂ）参照）を中心とする円弧状に形成することもできる。また、例えば、傾斜面２４ｂは、図９に示すような円弧状に形成することもできる。
【００３８】
図４（ａ）に示すように、非接触ＩＣ媒体Ｃｄは、傾斜面部１３に形成された非接触ＩＣ読取部２１の上に載置される。その際に、重力が非接触ＩＣ媒体Ｃｄに加わるため、非接触ＩＣ媒体Ｃｄは傾斜面部１３に沿って非接触ＩＣ読取部２１の上を装置の奥側（後方側）から手前側（前方側）に向かって滑落する。その結果、非接触ＩＣ媒体Ｃｄの下端部（図４（ａ）における左側の端部）が突起部２２ａに突き当たる。これにより、突起部２２ａが非接触ＩＣ媒体Ｃｄの下端部を保持する。このとき、非接触ＩＣ媒体Ｃｄの下端部の下側には、凹部２３ａによって空間が形成されている。
【００３９】
図４（ｂ）に示すように、顧客は、非接触ＩＣ読取部２１から非接触ＩＣ媒体Ｃｄを取り外す場合に、凹部２３ａの上から非接触ＩＣ媒体Ｃｄの下端部を矢印Ａ１の方向に押さえ付けて、非接触ＩＣ媒体Ｃｄの下端部を凹部２３ａの中に押し込ませる。すると、凹部２３ａの角部２４ｃを中心にして、非接触ＩＣ媒体Ｃｄが回動する。その結果、非接触ＩＣ媒体Ｃｄの上端部が非接触ＩＣ読取部２１から矢印Ａ２の方向に浮き上がる。これにより、顧客は、非接触ＩＣ媒体Ｃｄの上端部を指先で容易に摘むことができる。そのため、顧客は、非接触ＩＣ媒体Ｃｄを持ち上げて非接触ＩＣ読取部２１から容易に取り外すことができる。
【００４０】
係る構成において、想定される最大サイズの非接触ＩＣ媒体Ｃｄを凹部２３ａの中に入れることができるように、凹部２３ａの長さ（具体的には、図３（ａ）に示す突起部２２ａの延在方向の長さ）は、好ましくは、想定される最大サイズの非接触ＩＣ媒体Ｃｄの凹部２３ａに対向する部位の幅よりも長くなっているとよい。また、指で掴むことができる程度に非接触ＩＣ媒体Ｃｄの浮き上がらせる側の端部（本実施形態１では、上端部）を非接触ＩＣ読取部２１から離間させることができるように、凹部２３ａの幅は、好ましくは、非接触ＩＣ媒体Ｃｄの押下される側の端部（本実施形態１では、下端部）を凹部２３ａの中に入れることができる幅以上になっているとよい。また、凹部２３ａの幅と突起部２２ａの幅とのバランスを考慮すると、凹部２３ａの幅は、好ましくは、突起部２２ａの幅と略同じになっているとよい。
【００４１】
＜現金預払機の操作パネル構造の主な特徴＞
（１）本実施形態１に係る操作パネル構造１０は、非接触ＩＣ媒体Ｃｄが上に載置される非接触ＩＣ読取部２１を備えたパネル部材１１を有している。パネル部材１１の上面部１２は、非接触ＩＣ読取部２１の前縁と後縁と左縁と右縁との中の少なくとも１つの縁の近傍に、縁の延在方向に沿って形成された１乃至複数の突条状の突起部２２（本実施形態１では、２つの突起部２２ａ，２２ｂ）と、突起部２２ａに対して非接触ＩＣ媒体Ｃｄが載置される側の位置に、突起部２２ａの延在方向に沿って延在して形成された凹部２３ａと、を備えている。
【００４２】
このような操作パネル構造１０は、突起部２２ａで非接触ＩＣ媒体Ｃｄの載置位置を決定することができる。そして、操作パネル構造１０は、顧客が凹部２３ａの上から非接触ＩＣ媒体Ｃｄの一方の端部（本実施形態１では、下端部）を押さえ付けることで、非接触ＩＣ読取部２１から非接触ＩＣ媒体Ｃｄの他方の端部（本実施形態１では、上端部）を浮き上がらせることができる。これにより、顧客は、非接触ＩＣ媒体Ｃｄの浮き上がった他方の端部を指先で容易に摘むことができる。そのため、顧客は、非接触ＩＣ媒体Ｃｄを持ち上げて非接触ＩＣ読取部２１から容易に取り外すことができる。このような操作パネル構造１０は、非接触ＩＣ媒体Ｃｄの取り外し易さを向上させることができる。
【００４３】
（２）本実施形態１では、凹部２３ａの長さは、非接触ＩＣ読取部２１の上に載置される非接触ＩＣ媒体Ｃｄの凹部２３ａに対向する部位の幅よりも長くなっている。これにより、操作パネル構造１０は、顧客が非接触ＩＣ媒体Ｃｄの一方の端部（本実施形態１では、下端部）を押さえ付けたときに、その端部を凹部２３ａの中に受け入れることができる。
【００４４】
（３）本実施形態１では、凹部２３ａの側面視形状は、楔形を呈している。これにより、操作パネル構造１０は、顧客が非接触ＩＣ媒体Ｃｄの一方の端部（本実施形態１では、下端部）を押さえ付けたときに、凹部２３ａの角部２４ｃを中心にして非接触ＩＣ媒体Ｃｄを回動させることができる。その結果、操作パネル構造１０は、非接触ＩＣ読取部２１から非接触ＩＣ媒体Ｃｄの他方の端部（本実施形態１では、上端部）を浮き上がらせることができる。
【００４５】
（４）本実施形態１では、パネル部材１１の上面部１２には、傾斜面部１３が形成されている。そして、非接触ＩＣ読取部２１は、傾斜面部１３に設置されている。このような操作パネル構造１０は、傾斜面部１３の上（特に、非接触ＩＣ読取部２１の上）にジュース等の飲料が置かれることを防止することができる。
【００４６】
（５）本実施形態１では、パネル部材１１の上面部１２には、現金（紙幣）を出納する現金口（紙幣口）５が開口形成されている。突起部２２ａは、現金口（紙幣口）５から遠い側の縁（前縁２１ａ）に沿って形成されている。このような操作パネル構造１０は、非接触ＩＣ媒体Ｃｄが非接触ＩＣ読取部２１から落下しないように、突起部２２ａで非接触ＩＣ媒体Ｃｄを保持することができる。
【００４７】
（６）本実施形態１では、非接触ＩＣ読取部２１の前縁と後縁と左縁と右縁とのうち、現金口（紙幣口）５から遠い側の縁である前縁２１ａに沿って、突起部２２ａと凹部２３ａとが形成されている。このような操作パネル構造１０は、顧客が非接触ＩＣ媒体Ｃｄを非接触ＩＣ読取部２１の上に載置したときに、現金口（紙幣口）５から遠い側の突起部２２ａで非接触ＩＣ媒体Ｃｄを保持するため、非接触ＩＣ媒体Ｃｄを現金口（紙幣口）５から離間した位置で保持することができる。また、操作パネル構造１０は、顧客が非接触ＩＣ媒体Ｃｄを非接触ＩＣ読取部２１から取り外すときに、非接触ＩＣ媒体Ｃｄの上端部が現金口（紙幣口）５から離間するように、凹部２３ａで非接触ＩＣ媒体Ｃｄを浮き上がらせることができる。そのため、操作パネル構造１０は、非接触ＩＣ媒体Ｃｄが現金口（紙幣口）５の中に落下することを防止しつつ、非接触ＩＣ媒体Ｃｄの取り外し易さを向上させることができる。
【００４８】
＜変形例＞
このような操作パネル構造１０は、例えば、図５〜図９に示す操作パネル構造１０Ａ，１０Ｂ，１０Ｃ，１０Ｄのように変形することができる。
【００４９】
＜第１変形例＞
図５は、第１変形例に係る操作パネル構造１０Ａを示す図である。図５に示すように、第１変形例に係る操作パネル構造１０Ａは、実施形態１の操作パネル構造１０（図４（ａ）参照）と比較すると、非接触ＩＣ読取部２１が水平面部１３ａに設けられている点で相違している。水平面部１３ａは、略水平な方向に配置された平坦な部位である。第１変形例に係る操作パネル構造１０Ａのように、非接触ＩＣ読取部２１は、水平な部位に設けられていてもよい。
【００５０】
なお、非接触ＩＣ読取部２１は、パネル部材１１の上面部１２における横方向の略中央部から右側又は左側にずれた位置（例えば、図２に示す傾斜面部１３から右側又は左側にずれた位置）配置されていてもよい。
【００５１】
＜第２変形例＞
図６は、第２変形例に係る操作パネル構造１０Ｂを示す図である。図６に示すように、第２変形例に係る操作パネル構造１０Ｂは、実施形態１の操作パネル構造１０（図３（ａ）参照）と比較すると、凹部２３ａに加え、凹部２３ｂを備えている点で相違している。以下、凹部２３ａと凹部２３ｂとを区別する場合に、凹部２３ａを「第１凹部２３ａ」と称し、凹部２３ｂを「第２凹部２３ｂ」と称する。また、凹部２３ａと他の凹部（ここでは、凹部２３ｂ）を総称する場合に「凹部２３」と称する。
【００５２】
第２凹部２３ｂは、突起部２２ｂの近傍に形成された溝状の部位である。第２凹部２３ｂは、突起部２２ｂに対して非接触ＩＣ媒体Ｃｄ（図４参照）が載置される側（非接触ＩＣ読取部２１側）の位置に、突起部２２ｂの延在方向に沿って延在して形成されている。
【００５３】
このような操作パネル構造１０Ｂでは、非接触ＩＣ媒体Ｃｄ（図４参照）の上端部が第２凹部２３ｂの上に配置されている場合に、顧客は、第１凹部２３ａだけでなく、第２凹部２３ｂの上から非接触ＩＣ媒体Ｃｄの上端部を押さえ付けることによっても、非接触ＩＣ読取部２１から非接触ＩＣ媒体Ｃｄを浮き上がらせて取り外すことができる。このような操作パネル構造１０Ｂは、実施形態１の操作パネル構造１０（図３（ａ）参照）よりもさらに非接触ＩＣ媒体Ｃｄの取り外し易さを向上させることができる。
【００５４】
＜第３変形例＞
図７は、第３変形例に係る操作パネル構造１０Ｃを示す図である。図７に示すように、第３変形例に係る操作パネル構造１０Ｃは、実施形態１の操作パネル構造１０（図３（ａ）参照）と比較すると、突起部２２ａ，２２ｂに加え、２つの突起部２２ｃ，２２ｄを備えている点と、凹部２３ａに加え、２つの凹部２３ｃ，２３ｄを備えている点で相違している。
【００５５】
突起部２２ｃ，２２ｄは、それぞれ、非接触ＩＣ読取部２１の左縁２１ｃと右縁２１ｄの近傍に、縁の延在方向に沿って形成された突条状の部位である。図７に示す例では、突起部２２ｃ，２２ｄは、突起部２２ａと一体の構造（すなわち、突起部２２ａと接続された構造）になっている。しかしながら、突起部２２ｃ，２２ｄは、突起部２２ａから独立した構造（すなわち、突起部２２ａから分断された構造）であってもよい。
【００５６】
凹部２３ｃ，２３ｄは、それぞれ、突起部２２ｃ，２２ｄの近傍に形成された溝状の部位である。凹部２３ｃ，２３ｄは、非接触ＩＣ読取部２１の上に載置された非接触ＩＣ媒体Ｃｄ（図４参照）に対し、その端部の下側に空間を形成する。凹部２３ｃ，２３ｄは、それぞれ、突起部２２ｃ，２２ｄに対して非接触ＩＣ媒体Ｃｄ（図４参照）が載置される側（非接触ＩＣ読取部２１側）の位置に、突起部２２ｃ，２２ｄの延在方向に沿って延在して形成されている。
【００５７】
このような操作パネル構造１０Ｃでは、非接触ＩＣ媒体Ｃｄ（図４参照）の左端部又は右端部が凹部２３ｃ又は凹部２３ｄの上に配置されている場合に、顧客は、凹部２３ａだけでなく、凹部２３ｃ又は凹部２３ｄの上から非接触ＩＣ媒体Ｃｄの左端部又は右端部を押さえ付けることによっても、非接触ＩＣ読取部２１から非接触ＩＣ媒体Ｃｄを浮き上がらせて取り外すことができる。したがって、操作パネル構造１０Ｃでは、凹部２３ａと凹部２３ｃと凹部２３ｄとの中のいずれかの凹部２３の上に非接触ＩＣ媒体Ｃｄが片寄って載置されている場合であっても、顧客は、非接触ＩＣ読取部２１から非接触ＩＣ媒体Ｃｄを浮き上がらせて取り外すことができる。このような操作パネル構造１０Ｃは、実施形態１の操作パネル構造１０（図３（ａ）参照）よりもさらに非接触ＩＣ媒体Ｃｄの取り外し易さを向上させることができる。
【００５８】
＜第４変形例＞
図８は、第４変形例に係る操作パネル構造１０Ｄを示す図である。図８に示すように、第４変形例に係る操作パネル構造１０Ｄは、実施形態２の操作パネル構造１０Ｂ（図６参照）と比較すると、凹部２３（第１凹部２３ａ及び第２凹部２３ｂ）とは別の凹部２５を備えている点で相違している。
【００５９】
凹部２５は、突起部２２ａ及び第１凹部２３ａと交差するように、交差方向に延在して形成された溝状の部位である。凹部２５は、顧客の指先が非接触ＩＣ媒体Ｃｄ（図９参照）の下端部に接触し易くするために設けられている。以下、凹部２５を「端部用凹部２５」と称する場合がある。
【００６０】
図９は、操作パネル構造１０Ｄでの非接触ＩＣ媒体Ｃｄの取り外し方法を示す図である。図９（ａ）は、非接触ＩＣ媒体Ｃｄの下端部を押し下げる場合の取り外し方法を示しており、図９（ｂ）は、非接触ＩＣ媒体Ｃｄの下端部を持ち上げる場合の取り外し方法を示している。なお、図９に示す例では、顧客が指を端部用凹部２５の中に挿入し易いように、端部用凹部２５の先端部が溝型の円弧状に形成されている。また、端部用凹部２５の先端部の形状に合わせて、第１凹部２３ａの傾斜面２４ｂ（図３（ｂ）参照）が溝型の円弧状に形成されている。
【００６１】
図９（ａ）に示すように、顧客は、矢印Ｆ１の方向に沿って端部用凹部２５の上から端部用凹部２５の中に指を挿入する。これにより、顧客は、第１凹部２３ａの上から指先を非接触ＩＣ媒体Ｃｄの下端部に接触させることができる。その結果、顧客は、第１凹部２３ａの上から非接触ＩＣ媒体Ｃｄの下端部を矢印Ａ１の方向に押さえ付けて、非接触ＩＣ媒体Ｃｄの下端部を第１凹部２３ａの中に押し込ませることができる。これにより、顧客は、非接触ＩＣ読取部２１から非接触ＩＣ媒体Ｃｄの上端部を矢印Ａ２の方向に浮き上がらせることができるため、非接触ＩＣ媒体Ｃｄの上端部を指先で容易に摘むことができる。したがって、顧客は、非接触ＩＣ読取部２１から非接触ＩＣ媒体Ｃｄを容易に取り外すことができる。
【００６２】
図９（ｂ）に示すように、顧客は、矢印Ｆ２の方向に沿って端部用凹部２５の前方から端部用凹部２５の中に指を挿入する。これにより、顧客は、指先を非接触ＩＣ媒体Ｃｄの下端部の下側に潜り込ませて、指先を非接触ＩＣ媒体Ｃｄの下端部に接触させることができる。その結果、顧客は、指先を非接触ＩＣ媒体Ｃｄの下端部に引っ掛けて、非接触ＩＣ媒体Ｃｄの下端部を矢印Ａ３の方向に持ち上げることができる。これにより、顧客は、非接触ＩＣ読取部２１から非接触ＩＣ媒体Ｃｄの下端部を浮き上がらせることができるため、非接触ＩＣ媒体Ｃｄの下端部を指先で容易に摘むことができる。なお、顧客は、第２凹部２３ｂの上から非接触ＩＣ媒体Ｃｄの上端部を押さえ付けることによっても、非接触ＩＣ読取部２１から非接触ＩＣ媒体Ｃｄを浮き上がらせて取り外すことができる。したがって、顧客は、非接触ＩＣ読取部２１から非接触ＩＣ媒体Ｃｄを容易に取り外すことができる。
【００６３】
このような操作パネル構造１０Ｄでは、顧客は、端部用凹部２５に指を挿入することによって、指先を非接触ＩＣ媒体Ｃｄに接触させることができる。そのため、操作パネル構造１０Ｄは、実施形態２の操作パネル構造１０Ｂ（図６参照）よりもさらに非接触ＩＣ媒体Ｃｄの取り外し易さを向上させることができる。
【００６４】
係る構成において、端部用凹部２５の長さは、好ましくは、標準的なサイズの指（特に、人差し指）の指先を挿入させることができる長さ以上であるとよい。また、端部用凹部２５の幅は、好ましくは、標準的なサイズの指（特に、人差し指）を挿入することができる幅以上になっているとよい。
【００６５】
以上の通り、本実施形態１に係る操作パネル構造１０によれば、非接触ＩＣ媒体Ｃｄの取り外し易さを向上させることができる。同様に、第１〜第４変形例に係る操作パネル構造１０Ａ，１０Ｂ，１０Ｃ，１０Ｄによれば、非接触ＩＣ媒体Ｃｄの取り外し易さを向上させることができる。
【００６６】
［実施形態２］
実施形態１に係る操作パネル構造１０（図３参照）は、凹部２３ａを利用して非接触ＩＣ媒体Ｃｄを浮き上がらせる構成になっている。
これに対し、本実施形態２では、突起部２２とは別の突起部２６（図１０参照）を利用して非接触ＩＣ媒体Ｃｄを浮き上がらせる構成の操作パネル構造１０Ｅを提供する。
【００６７】
以下、図１０を参照して、本実施形態２に係る操作パネル構造１０Ｅの構成につき説明する。図１０は、本実施形態２に係る操作パネル構造１０Ｅの構成を示す図である。図１０（ａ）は、操作パネル構造１０Ｅの斜視構造を示しており、図１０（ｂ）は、操作パネル構造１０Ｅの側面視構造を示している。
【００６８】
図１０（ａ）に示すように、本実施形態２に係る操作パネル構造１０Ｅは、実施形態１に係る操作パネル構造１０（図３参照）と比較すると、凹部２３ａがパネル部材の上面部に設けられていない点と、パネル部材の上面部に、突起部２２とは別の突起部２６を備えている点で相違している。
【００６９】
突起部２６は、非接触ＩＣ読取部２１内に設けられた突起である。突起部２６は、非接触ＩＣ読取部２１の上に載置される非接触ＩＣ媒体Ｃｄを下から支持するために設けられている。
【００７０】
図１０（ｂ）に示すように、操作パネル構造１０Ｅでは、非接触ＩＣ媒体Ｃｄが非接触ＩＣ読取部２１の上に載置されたときに、突起部２２ａが非接触ＩＣ媒体Ｃｄの下端部を保持する。また、このとき、突起部２６が非接触ＩＣ媒体Ｃｄの略中央部を下から支持する。これによって、非接触ＩＣ媒体Ｃｄの略中央部が非接触ＩＣ読取部２１から離間する。その結果、操作パネル構造１０Ｅは、非接触ＩＣ読取部２１から非接触ＩＣ媒体Ｃｄの上端部を浮き上がらせることができる。以下、突起部２６を「離間支持用突起部２６」と称する場合がある。
【００７１】
このような操作パネル構造１０Ｅは、離間支持用突起部２６を利用することで非接触ＩＣ読取部２１から非接触ＩＣ媒体Ｃｄを浮き上がらせることができる。これにより、顧客は、非接触ＩＣ媒体Ｃｄの上端部を指先で容易に摘むことができる。そのため、顧客は、非接触ＩＣ媒体Ｃｄを持ち上げて非接触ＩＣ読取部２１から容易に取り外すことができる。このような操作パネル構造１０Ｅは、実施形態１の操作パネル構造１０（図３（ａ）参照）と同様に、非接触ＩＣ媒体Ｃｄの取り外し易さを向上させることができる。
【００７２】
以上の通り、本実施形態２に係る操作パネル構造１０Ｄによれば、実施形態１に係る操作パネル構造１０と同様に、非接触ＩＣ媒体Ｃｄの取り外し易さを向上させることができる。
【００７３】
なお、本発明は、前記した実施形態に限定されるものではなく、本発明の要旨を逸脱しない範囲で種々の変更や変形を行うことができる。
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００７４】
例えば、前記した実施形態では、非接触ＩＣ読取部２１が傾斜面部１３に設置されている。しかしながら、非接触ＩＣ読取部２１は、傾斜していない場所に設置することが可能である。
【符号の説明】
【００７５】
１    現金預払機
２    表示入力部
３    カード挿入排出口
４    明細票排出口
５    現金口（紙幣口）
６    数字入力部
７ａ    バーコードリーダ
７ｂ    指紋認証装置
８    非接触ＩＣリーダユニット
９    取引処理機構
１０，１０Ａ，１０Ｂ，１０Ｃ，１０Ｄ，１０Ｅ    操作パネル構造
１１    パネル部材
１２    上面部
１３    パネル部材の上面部における横方向の略中央部（傾斜面部）
１３ａ    パネル部材の上面部における横方向の略中央部（水平面部）
２１    非接触ＩＣ読取部
２１ａ    前縁
２１ｂ    後縁
２１ｃ    左縁
２１ｄ    右縁
２２（２２ａ，２２ｂ，２２ｃ，２２ｄ）    突条状の突起部
２３（２３ａ，２３ｂ，２３ｃ，２３ｄ）    凹部
２４ａ    縦壁面
２４ｂ    傾斜面
２４ｃ    角部
２５    端部用凹部（別の凹部）
２６    離間支持用突起部（別の突起部）
Ｃｄ    非接触型ＩＣカード（非接触ＩＣ媒体）
【図１】
2018124606.tif 000003
【図２】
2018124606.tif 000004
【図３】
2018124606.tif 000005
【図４】
2018124606.tif 000006
【図５】
2018124606.tif 000007
【図６】
2018124606.tif 000008
【図７】
2018124606.tif 000009
【図８】
2018124606.tif 000010
【図９】
2018124606.tif 000011
【図１０】
2018124606.tif 000012